(57)【要約】【目的】簡単な構成及び処理で様々なタイプのデータを効率よく伝送可能なことを課題とする。【構成】オーバヘッド部とペイロード部とを有する複数の伝送フレームを時系列に伝送するシステムのデータ伝送方法であって、次フレームｊのペイロード部を、前フレームｉのオーバヘッド部に搭載したデータ識別情報と次フレームペイロード部上の領域を表す情報とによって複数の領域に区分し、各領域に異種形態のデータ（例えばＴＤＭデータとパケットデータ等）を搭載して伝送する。【選択図】    図１
2004349782.tif 000002
【特許請求の範囲】
【請求項１】
オーバヘッド部とペイロード部とを有する複数の伝送フレームを時系列に伝送するシステムのデータ伝送方法であって、次フレームのペイロード部を、前フレームのオーバヘッド部に搭載したデータ識別情報と次フレームペイロード部上の領域を表す情報とによって複数の領域に区分し、各領域に異種形態のデータを搭載して伝送することを特徴とするデータ伝送方法。
【請求項２】
オーバヘッド部と時分割多重データを搭載する為のペイロード部とを有する複数の伝送フレームを時系列に伝送するシステムのデータ伝送方法であって、次フレームのペイロード部に対して、前フレームのオーバヘッド部に搭載したデータ識別情報と次フレームペイロード部上の領域を表す情報とによって１又は２以上の領域を設け、該領域にパケットデータ及び又はセルデータを搭載して伝送することを特徴とするデータ伝送方法。
【請求項３】
オーバヘッド部と時分割多重データを搭載する為のペイロード部とを有する複数の伝送フレームを時系列に伝送するシステムのデータ伝送方法であって、次フレームのペイロード部に対して、前フレームのオーバヘッド部に搭載した異種データの搭載パターンを表す情報によって１又は２以上の領域を設け、該領域にパケットデータ及び又はセルデータを搭載して伝送することを特徴とするデータ伝送方法。
【請求項４】
オーバヘッド部と時分割多重データを搭載する為のペイロード部とを有する複数の伝送フレームを時系列に伝送するシステムのデータ伝送装置であって、
時分割多重データとパケットデータ及び又はセルデータとを受信終端する受信部と、
各受信データを夫々にバッファリングすバッファ部と、
自局が送信する次フレームのペイロード部に対して、前フレームのオーバヘッド部に搭載したデータ識別情報と次フレームペイロード部上の領域を表す情報とによって所定サイズの１又は２以上の領域を設け、該領域にパケットデータ及び又はセルデータを搭載するデータマッピング部と、を備えることを特徴とするデータ伝送装置。
【請求項５】
各受信データの流量を計測する流量計測部を備え、
データマッピング部は計測された流量に従ってペイロード部に搭載するデータのサイズを変更することを特徴とする請求項４記載のデータ伝送装置。
【発明の詳細な説明】
【０００１】
【発明の属する技術分野】
本発明はデータ伝送方法及び装置に関し、更に詳しくはオーバヘッド部とペイロード部とを有する複数の伝送フレームを時系列に伝送するシステムのデータ伝送方法及び装置に関する。
【０００２】
【従来の技術】
伝送装置では、伝送フレーム内ペイロード部の決められたスロットに時分割多重（ＴＤＭ：Ｔｉｍｅ  Ｄｉｖｉｓｉｏｎ  Ｍｕｌｔｉｐｌｅｘｉｎｇ）データを搭載して伝送するか、又は、ＴＤＭデータをパケット化して任意の位置にマッピングする方法がとられる。前者の場合は、データがマッピングされるスロット（位置）に意味を持ち、位置によって何（どのチャネル）の情報かが決められている。また、後者の場合は、マッピングされるデータの中身に意味を持ち、通常、ヘッダ（データの識別フラグ）によって、各々のデータが何であるかを示す。
【０００３】
また、このようなＴＤＭデータとパケットデータとを同時に扱いたい場合には、データの形態をどちらかに合わせる必要があり、通常は、ＴＤＭデータをユーザ（チャンネル）別に一塊のデータにしてヘッダを付加し、パケット化することでパケットデータに統一することが行われる。また、パケットにもＡＴＭパケットやイーサ（Ｅｔｈｅｒ）パケット等が存在し、種類によって形態が異なる為、数種類のパケットが混在する場合には、パケットを組み立て直して、あるパケットに統一し、データ伝送を行う必要がある。その為には、送受信の各装置内で、パケット種別毎に段階的に処理する機能が必要であり、パケットデータの分解、組み立てが繰り返され、この為に伝送装置の構成が複雑になっていた。
【０００４】
このように，従来、形式の異なるデータを同一の伝送フレームにマッピングするには、段階的に複雑なデータ変換処理を行って、パケットを統一する必要があり、このためにパケットの分解／組み立て等の伝送装置内における複雑な処理が必要であった。また、パケット化することで、ヘッダを付加する必要があり、余分なデータ領域が必要となるため、伝送効率が悪くなっていた。
【０００５】
係る情況の下、従来は、多重化フレームを構成する各コンテナにより独自の形式又はフォーマットでディジタル情報を運ぶネットワークアーキテクチャが知られている（特許文献１，明細書１１頁８〜９行）。ここでは、全てのドメインノードは、情報を、コンテナ内で割り当てられたパーティションにロードできる（同１３頁５〜６行，図２）。各コンテナは特定のノードに対して設けられ、コンテナが宛先ノードに届くと、ノードは、他のノードによってロードされたペイロードをアンロードする（同１３頁６〜１１行）。ノードＡ用のコンテナはノードＢ，Ｃ，Ｄ，Ｅ用のパーティションを備え，例えばノードＡ用のコンテナ内のノードＢ用のパーティションは、ノードＢからノードＡのトラフィックが使用するために排他的に設けられた帯域幅である（同１３頁１３〜１８行，図２）。
【０００６】
【特許文献１】
特表２００１−５０３９４９号公報（要約，明細書，図２）。
【０００７】
【発明が解決しようとする課題】
しかし、上記データを伝送フレーム上の各コンテナに搭載して伝送する方式であると、コンテナ識別のためのオーバヘッド処理が必要となると共に，コンテナ（又はパーティション）毎にデータの形態を統一化してパック／アンパックする複雑な処理が必要となる。
【０００８】
本発明は上記従来技術の問題点に鑑みなされたもので、その目的とする所は、簡単な構成及び処理で様々なタイプのデータを効率よく伝送可能なデータ伝送方法及び装置を提供することにある。
【０００９】
【課題を解決するための手段】
上記の課題は例えば図１の構成により解決される。即ち、本発明（１）のデータ伝送方法は、オーバヘッド部とペイロード部とを有する複数の伝送フレームを時系列に伝送するシステムのデータ伝送方法であって、次フレームｊのペイロード部を、前フレームｉのオーバヘッド部に搭載したデータ識別情報と次フレームペイロード部上の領域を表す情報とによって複数の領域に区分し、各領域に異種形態のデータ（例えばＴＤＭデータとパケットデータ等）を搭載して伝送するものである。
【００１０】
本発明（１）によれば、前フレームｉのオーバヘッド部に当該データがどの種別のデータ（ＴＤＭデータ／パケットデータ等）であるかを識別可能なデータ識別情報と次フレームペイロード部上の書込領域を表す情報とを搭載するだけの簡易な方法によって、同一の伝送フレーム上に形態の異なる様々なデータを、複雑なオーバヘッド処理を必要とせずに、簡単にマッピング／デマッピング可能となる。なお、図１ではパケットデータのみを搭載する場合を示しているが，ペイロード部全体を複数領域に区分し、これらにＴＤＭデータ、パケットデータ、セルデータ等を搭載可能である。
【００１１】
また本発明（２）のデータ伝送方法は、オーバヘッド部と時分割多重データを搭載する為のペイロード部とを有する複数の伝送フレームを時系列に伝送するシステムのデータ伝送方法であって、次フレームのペイロード部に対して、前フレームのオーバヘッド部に搭載したデータ識別情報と次フレームペイロード部上の領域を表す情報とによって１又は２以上の領域を設け、該領域にパケットデータ及び又はセルデータを搭載して伝送するものである。
【００１２】
本発明（２）のペイロード部は、基本的にはその全部がＴＤＭデータを搭載する為のものであるが、その上に任意領域を設定することでパケットデータ及び又はセルデータを伝送可能となる。従って、ＴＤＭデータについては、オーバヘッド部にデータ識別情報や領域指定情報を設ける必要が無いため、オーバヘッド部上の未使用領域を有効に活用できる。
【００１３】
また本発明（３）のデータ伝送方法は、オーバヘッド部と時分割多重データを搭載する為のペイロード部とを有する複数の伝送フレームを時系列に伝送するシステムのデータ伝送方法であって、次フレームのペイロード部に対して、前フレームのオーバヘッド部に搭載した異種データの搭載パターンを表す情報によって１又は２以上の領域を設け、該領域にパケットデータ及び又はセルデータを搭載して伝送するものである。
【００１４】
本発明（３）では、次フレームのペイロードに搭載される各種データの種別と位置とを簡単な異種データの搭載パターンを表す情報で特定する。例えば、前フレームのオーバヘッド部にＴＤＭデータがＭバイト（又はスロット）、かつパケットデータがＮバイト（又はスロット）を表すパターン情報を書き込んでおくと、次フレームのペイロード部の最初から、まずＴＤＭデータがＭバイト、次にパケットデータがＮバイトの繰り返しパターンで順にデータが搭載される。従って、オーバヘッド部上の未使用領域を更に有効に活用できる。
【００１５】
また本発明（４）のデータ伝送装置は、オーバヘッド部と時分割多重データを搭載する為のペイロード部とを有する複数の伝送フレームを時系列に伝送するシステムのデータ伝送装置であって、時分割多重データとパケットデータ及び又はセルデータとを受信終端する受信部と、各受信データを夫々にバッファリングすバッファ部と、自局が送信する次フレームのペイロード部に対して、前フレームのオーバヘッド部に搭載したデータ識別情報と次フレームペイロード部上の領域を表す情報とによって所定サイズの１又は２以上の領域を設け、該領域にパケットデータ及び又はセルデータを搭載するデータマッピング部と、を備えるものである。
【００１６】
本発明（５）では、上記本発明（４）において、各受信データの流量を計測する流量計測部を備え、データマッピング部は計測された流量に従ってペイロード部に搭載するデータのサイズを変更するものである。従って，受信データの流量に応じてペイロード部の帯域を効率よく利用できる。
【００１７】
【発明の実施の形態】
以下、添付図面に従って本発明に好適なる実施の形態を詳細に説明する。なお、全図を通して同一符号は同一又は相当部分を示すものとする。
【００１８】
図２，図３は実施の形態によるデータ伝送システムの構成を示す図（１），（２）で、同一の伝送フレームでＴＤＭデータとパケットデータを伝送する場合を示している．図２はデータ送信側の構成を示している。図において、１０ＡはＴＤＭデータを送信するＴＤＭ通信装置、２０Ａはパケットデータを送信するパケット通信装置、１００Ａは通信装置１０Ａ，２０Ａを収容する伝送装置、３０はその送信部、３１はＴＤＭ通信を終端するＴＤＭインタフェース部（ＴＤＭＩＦ）、３２は受信ＴＤＭデータの流量を監視する流量監視部、３３はＴＤＭデータを一時的にバッファリングするＦＩＦＯバッファ（ＦＩＦＯ）、３４はＴＤＭデータの書込制御部（ＷＣ）、３５はＴＤＭデータの読出制御部（ＲＣ）、４１はパケット通信を終端するパケットインタフェース部（ＰＣＤＩＦ）、４２は受信パケットデータの流量を監視する流量監視部、４３はパケットデータを一時的にバッファリングするＦＩＦＯバッファ（ＦＩＦＯ）、４４はパケットデータの書込制御部（ＷＣ）、４５はパケットデータの読出制御部（ＲＣ）、４６はＴＤＭデータとパケットデータの流量監視結果に基いて自局の送信フレーム（ペイロード）に搭載するデータの配分（データサイズ等）を制御する流量制御部、５１は流量制御部４６のサイズ情報に従ってＴＤＭデータとパケットデータを各対応する領域にマッピングするデータマッピング部、５２はマッピング後のＴＤＭデータとパケットデータを送信フレームのペイロード部に多重する多重部（ＭＵＸ）、５３は送信フレームのオ−バヘッド部に所定のオーバヘッド情報（パケットデータの識別情報やペイロード上の搭載領域を示すオフセット情報等を含む）を挿入するオーバヘッド挿入部、５４は電気信号（送信フレーム）を光信号に変換するＥ／Ｏ部、２００は光ファイバからなる光伝送路である。
【００１９】
図３はデータ受信側の構成を示している。図において、１００Ｂは伝送装置１００Ａと対向する伝送装置、６０はその受信部、６１は光信号を電気信号（受信フレーム）に変換する０／Ｅ部、６２は受信フレームのオーバヘッド部からオーバヘッド情報（パケットデータの識別情報やオフセット情報等を含む）を抽出するオーバヘッド抽出部、６３は抽出したオフセット情報に基き受信フレーム（ペイロード部）中のＴＤＭデータとパケットデータとを分離する分離部（ＤＭＵＸ）、６４は分離された各データの塊から夫々にＴＤＭデータとパケットデータをデマッピングするデータデマッピング部、６５はＴＤＭ通信を終端するＴＤＭインタフェース部（ＴＤＭＩＦ）、６６はパケット通信を終端するパケットインタフェース部（ＰＣＤＩＦ）、１０ＢはＴＤＭデータを受信するＴＤＭ通信装置、２０Ｂはパケットデータを受信するパケット通信装置である。
【００２０】
次に一例の伝送フレームを説明する。図４は第１の実施の形態による伝送フレームを説明する図で、基本的にはＴＤＭデータを伝送する為のペイロード部に１種又は２種以上のパケットデータを多重して伝送する場合を示している。図には、ある時点の伝送フレームｉとその次の伝送フレームｊとを示す。伝送フレームは、オーバヘッド部とペイロード部とにより構成され、オーバヘッド部には、先頭のフレーム同期信号（Ｆｓｙｎｃ）や伝送路エラーを監視する為のパリティビット情報等が埋め込まれている。オーバヘッド情報についてはＳＯＮＥＴやＳＤＨ等で使用されている情報を利用できるため、ここでは説明を省略する。
【００２１】
本実施の形態ではオーバヘッド部の未使用領域を利用して、該領域にパケットデータの種別情報及びペイロード上でパケットデータを搭載する領域のオフセット情報を書き込む。なお、これらの情報をオーバヘッド部の何処に書き込むかについては、固定、又は予め送受信間で取り決めが為される。
【００２２】
図４は２種類のパケットデータを搭載する場合を示している。「パケットＡ」はパケット通信装置２０Ａから送られるパケットデータの種別情報、「パケットＢ」は自局で生成するシステム監視用パケットデータの種別情報である。ペイロード領域を指し示すオフセット情報にはパケットデータ領域の開始スロット位置を示す「開始オフセット」と、終了スロット位置を示す「終了オフセット」とが含まれる。なお、領域の指定は「開始オフセット」と「データ数」又は「スロット数」とで表してもよい．
ペイロード部は、バイト（スロット）単位にアドレス可能であり、ここに各種のデータをマッピングする。フレーム同期信号「Ｆｓｙｎｃ」のある行の最初のペイロードスロットをオフセット番号「０」とし、１伝送フレームの最後のペイロードスロットをオフセット番号「Ｘ」としている。  図の例では「パケットＡ」の「開始オフセット」＝「Ｍ」，「終了オフセット」＝「Ｎ」であり、この領域にはパケットデータ「ＰｃＡ１」，「ＰｃＡ２」，…が順にマッピングされる。パケット通信装置２０Ａから受信したパケットデータに対してヘッダやフォーマットの変換を行う必要は無く、受信したままのパケットデータが当該領域に順に搭載される。また「パケットＢ」の「開始オフセット」＝「Ｐ」，「終了オフセット」＝「Ｑ」であり、この領域にはパケットデータ「ＰｃＢ１」，「ＰｃＢ２」，…が順にマッピングされる。ペイロード部のそれ以外の領域には音声データ等のＴＤＭデータが、チャネルＣＨ１〜ＣＨｎの各スロット対応に順にマッピングされる。
【００２３】
次に上記図４の伝送フレームを送信する場合を例に本伝送システムの動作を説明する。図２において、入力のＴＤＭデータはＴＤＭＩＦ部３１で受信され、シリアル／パラレル（Ｓ／Ｐ）変換等の処理後、流量監視部３２に入力する。流量監視部３２において、書込制御部３４は入力のＴＤＭデータをＦＩＦＯバッファ３３に順次書き込むと共に、該書込データの流量を計測し、計測結果を流量制御部４６に出力する。一方、入力のパケットデータはＰＣＤＩＦ部４１で受信され、シリアル／パラレル（Ｓ／Ｐ）変換等の処理後、流量監視部４２に入力する。流量監視部４２において、書込制御部４４は入力のパケットデータをＦＩＦＯバッファ４３に順次書き込むと共に、該書込データの流量を計測し、計測結果を流量制御部４６に出力する。流量の計測は、例えば単位時間当りのデータ書込数を計数することによって行われる。なお、ＦＩＦＯバッファ３３，４３は共に十分な容量を備えているが、ＦＩＦＯバッファ３３／４３がオーバフローしてしまうのを避けるため、データ蓄積量が所定割合を超えた場合には、その旨が流量制御部４６に知らされる。
【００２４】
流量制御部４６では、入力の流量計測結果に基きＴＤＭデータとパケットデータの読出サイズ（ペイロード部に搭載する割合）を決定し、出力する。読出制御部３５、４５は読出サイズの情報に基きＦＩＦＯバッファ３３，４３から各対応する流量のデータを読み出すと共に、データマッピング部５１では、各読出データをペイロード対応に設けた各領域にマッピングする。
【００２５】
好ましくは、予め設定された優先順位を考慮してＦＩＦＯバッファ３３，４３からのデータを読み出す。一例の優先順位は、
▲１▼システムのアラームパケットＢ
▲２▼音声等の実時間性を要求されるＴＤＭデータ
▲３▼ユーザパケットＡ、ＡＴＭセル，通常の監視パケット，監視セル
であり，番号が若いほど優先順位が高い。
【００２６】
今、ＴＤＭデータとユーザパケットＡとを夫々の計測流量に応じて、例えば７：３のペイロード占有率で伝送しているとする。この状態で、もし伝送装置１００Ａでシステム上のアラームを検出すると、これを伝送装置１００Ｂに知らせるためのアラームパケットＢは優先度が▲１▼と高い。このような場合には、計測流量とは関係なく、伝送装置１００Ａで生成したアラームパケットＢを優先的にペイロード部に搭載して伝送することが可能である。このように優先順位を設けることで、通常はシステムの監視データをＴＤＭデータに混ぜて定期的に送信すると共に、アラームが生じた場合には、直ちにアラームパケットを送信でき、データ伝送サービスとシステムの管理・運用とが効率よく行える。
【００２７】
上記マッピングされた各データはＭＵＸ部５２で次フレームのペイロード部上に多重される。一方、その前フレームのオーバヘッド部には、オーバヘッド挿入部５３で、各種多重データの識別情報と共に、これらのマッピング（多重）領域を表すオフセット値情報とが所要の位置に書き込まれる。こうして形成される各伝送フレーム（電気信号）は、シリアルデータに変換され、Ｅ／０部５４で光信号に変換され、光ファイバ２００に送信される。
【００２８】
図３において、対向装置１００Ａから光ファイバ２００で伝送されてきた伝送フレーム（光信号）は、伝送装置１００ＢのＯ／Ｅ部６１で電気信号に変換された後、Ｓ／Ｐ変換され、オーバヘッド抽出部６２に入力する。オーバヘッド抽出部６２では、オーバヘッド内のフレーム同期信号（Ｆｓｙｎｃ）を用いてフレーム同期をとると共に、そこを基点に各種多重データの識別情報と領域指定情報（オフセット値）を抽出し、出力する。ＤＭＵＸ部６３では、各種多重データを対応する領域指定情報に基いて分離する。
【００２９】
図４の例で言うと、次フレームのペイロード部中の「開始オフセット＝Ｍ」〜「終了オフセット＝Ｎ」よりパケットＡが分離され、また「開始オフセット＝Ｐ」〜「終了オフセット＝Ｑ」よりパケットＢが分離され、それ以外の領域からはＴＤＭデータが分離される。
【００３０】
データデマッピング部６４では、各領域のデータをデマッピングする。パケットデータのデマッピングは、パケットとしての別段のヘッダ処理等を行う必要は無く、ペイロード部から分離されたデータを順に蓄積するだけでよい。こうしてデマッピングされた各種データ（ＴＤＭデータ，パケットデータ等）は各対応するＩＦ部６５，６６を介してＴＤＭ通信装置１０Ｂやパケット通信装置２０Ｂに送られる。必要なら、パケットデータとしての処理は、ＰＣＤＩＦ部５６で行われる。
【００３１】
以上のように、本第１の実施の形態によれば、前フレームのオバヘッド部に書き込んだ簡単な領域指定情報等により、次フレームのペイロード部内を仮想空間として自由に切り分けて扱う事が可能となり、該フレームに多重するデータの形態を統一しなくても、異種形態のデータ（ＴＤＭデータ，各種パケットデータ、セルデータ等）を同一のフレーム内に容易に収めて伝送する事が可能である。
【００３２】
図５は第２の実施の形態による伝送フレームを説明する図で、前フレームのオーバヘッド部に搭載した異種データの搭載パターンを表す情報によって、基本的にはＴＤＭデータを搭載する為の次フレームのペイロード上に１又は２以上の領域を設け、該領域にパケットデータ及び又はセルデータを搭載して伝送する場合を示している。本通信システムの構成については上記図２，図３で示したものと同様でよい。以下に、第１の実施の形態と異なる部分を説明する。
【００３３】
図５において、伝送フレームｉのオーバヘッド部に「搭載パターン」の情報を書き込む。一例の搭載パターンは、次フレームのペイロードにおける最初の３スロット分（即ち、オフセット番号「０」〜「２」）にはユーザチャネルＣＨ１〜ＣＨ３のＴＤＭデータを多重し、これに続く３スロット分（即ち、オフセット番号「３」〜「５」）にはユーザパケットＡの３バイト（スロット）分を切り出して多重することが示されている。以下は、この搭載パターンがペイロード部の最後（但し、６スロットの倍数）の位置まで繰り返される。必要なら、計測した各流量に応じて搭載パターンの大きさ（１パターン当りのスロットサイズ）や分割比率を変更可能である。一方、伝送フレームの受信側では、前フレームのオーバヘッド部から抽出した「搭載パターン」の情報に基いて、次フレームのペイロード部から各対応するデータをデマッピングする。従って、本第２の実施の形態によれば、異種形態のデータの搭載パターンを指定するだけの、より簡単な領域指定情報によって、異種形態のデータを同一のフレーム内に効率よく収めて伝送する事が可能である。
【００３４】
なお、上記各実施の形態では、基本的にはＴＤＭデータを伝送する為のペイロード部に１又は２種以上のパケットデータを多重して伝送する場合を示したが、これに限らない。ＴＤＭデータに対してもデータ識別情報と領域指定情報、又は搭載パターンの情報を付与することによって、ペイロード領域を区分けするようにしてもよい。
【００３５】
また、上記各実施の形態では、ＴＤＭデータとパケットデータ（イーサパケット，ＩＰパケット等）を多重して伝送する場合を述べたが、これに限らない。他にも、ＡＴＭセル（固定長のパケットデータ）を多重して伝送してもよいことは言うまでも無い。
【００３６】
また、上記本発明に好適なる複数の実施の形態を述べたが、本発明思想を逸脱しない範囲内で各部の構成、制御、処理及びこれらの組み合わせの様々な変更が行えることは言うまでも無い。
【００３７】
（付記１）  オーバヘッド部とペイロード部とを有する複数の伝送フレームを時系列に伝送するシステムのデータ伝送方法であって、次フレームのペイロード部を、前フレームのオーバヘッド部に搭載したデータ識別情報と次フレームペイロード部上の領域を表す情報とによって複数の領域に区分し、各領域に異種形態のデータを搭載して伝送することを特徴とするデータ伝送方法。
【００３８】
（付記２）  オーバヘッド部と時分割多重データを搭載する為のペイロード部とを有する複数の伝送フレームを時系列に伝送するシステムのデータ伝送方法であって、次フレームのペイロード部に対して、前フレームのオーバヘッド部に搭載したデータ識別情報と次フレームペイロード部上の領域を表す情報とによって１又は２以上の領域を設け、該領域にパケットデータ及び又はセルデータを搭載して伝送することを特徴とするデータ伝送方法。
【００３９】
（付記３）  オーバヘッド部とペイロード部とを有する複数の伝送フレームを時系列に伝送するシステムのデータ伝送方法であって、次フレームのペイロード部を、前フレームのオーバヘッド部に搭載した異種データの搭載パターンを表す情報によって複数の領域に区分し、各領域に異種形態のデータを搭載して伝送することを特徴とするデータ伝送方法。
【００４０】
（付記４）  オーバヘッド部と時分割多重データを搭載する為のペイロード部とを有する複数の伝送フレームを時系列に伝送するシステムのデータ伝送方法であって、次フレームのペイロード部に対して、前フレームのオーバヘッド部に搭載した異種データの搭載パターンを表す情報によって１又は２以上の領域を設け、該領域にパケットデータ及び又はセルデータを搭載して伝送することを特徴とするデータ伝送方法。
【００４１】
（付記５）  ペイロード部上の領域を表す情報は次フレームペイロード部における領域の開始オフセット値と終了オフセット値とからなることを特徴とする付記１又は２記載のデータ伝送方法。
【００４２】
（付記６）  ペイロード部上の領域を表す情報は次フレームペイロード部における領域の開始オフセット値とデータ量とからなることを特徴とする付記１又は２記載のデータ伝送方法。
【００４３】
（付記７）  オーバヘッド部と時分割多重データを搭載する為のペイロード部とを有する複数の伝送フレームを時系列に伝送するシステムのデータ伝送装置であって、時分割多重データとパケットデータ及び又はセルデータとを受信終端する受信部と、各受信データを夫々にバッファリングすバッファ部と、自局が送信する次フレームのペイロード部に対して、前フレームのオーバヘッド部に搭載したデータ識別情報と次フレームペイロード部上の領域を表す情報とによって所定サイズの１又は２以上の領域を設け、該領域にパケットデータ及び又はセルデータを搭載するデータマッピング部と、を備えることを特徴とするデータ伝送装置。
【００４４】
（付記８）  各受信データの流量を計測する流量計測部を備え、データマッピング部は計測された流量に従ってペイロード部に搭載するデータのサイズを変更することを特徴とする付記７記載のデータ伝送装置。
【００４５】
【発明の効果】
以上述べた如く本発明によれば、異種形態のデータを同一の伝送フレームにそのままのデータ形態でマッピングできる為、データを統一化する処理が不要となり、複雑なデータ変換処理や余計な処理回路が要らなくなる。また、新たにパケット化する必要が無い為、従来、パケット化の際に付加していたヘッダ領域が不要となり、伝送効率が向上する。
【図面の簡単な説明】
【図１】本発明の原理を説明する図である。
【図２】実施の形態によるデータ伝送システムの構成を示す図（１）である。
【図３】実施の形態によるデータ伝送システムの構成を示す図（２）である。
【図４】第１の実施の形態による伝送フレームを説明する図である。
【図５】第２の実施の形態による伝送フレームを説明する図である。
【符号の説明】
１０  ＴＤＭ通信装置
２０  パケット通信装置
３１、６５  ＴＤＭインタフェース部（ＴＤＭＩＦ）
３２，４２  流量監視部
３３，４３  ＦＩＦＯバッファ（ＦＩＦＯ）
３４，４４  書込制御部（ＷＣ）
３５，４５  読出制御部（ＲＣ）
４１，６６  パケットインタフェース部（ＰＣＤＩＦ）
４６  流量制御部
５１  データマッピング部
５２  多重部（ＭＵＸ）
５３  オーバヘッド挿入部
６２  オーバヘッド抽出部
６３  分離部（ＤＭＵＸ）
６４  データデマッピング部
１００  伝送装置
２００  光伝送路（光ファイバ）
【図１】
2004349782.tif 000003
【図２】
2004349782.tif 000004
【図３】
2004349782.tif 000005
【図４】
2004349782.tif 000006
【図５】
2004349782.tif 000007